(57)【要約】【課題】グローブのパッキングと器具本体との間から光漏れが生じないようにした照明器具を提供することである。【解決手段】器具本体１１は前面に開口を有し、細長で前面開口部に直管形蛍光灯が取り付けられる。グローブ１２は、器具本体１１の前面開口部に位置する直管形蛍光灯を覆うように器具本体１１に蝶番１３及びラッチ１４により開閉可能に取り付けられる。そして、グローブ１２を閉じた状態で器具本体１１と接触する内周部に枠１８を有している。パッキング１７は、グローブ１２が閉じた状態でグローブ１２と器具本体１１との接触部から直管形蛍光灯の光漏れが発生しないようにグローブ１２の枠１８に取り付けられる。さらに、フィルム２０はグローブ１２の長辺方向のパッキング１８ａに設けられ、グローブが閉１２じた状態で器具本体１１の内面に当接して直管形蛍光灯の光漏れを確実に防ぐ。【選択図】  図１
2008296773.tif 000002
【特許請求の範囲】
【請求項１】
前面に開口を有し細長で前記前面開口部に直管形蛍光灯が取り付けられる器具本体と；
前記器具本体の前面開口部に位置する前記直管形蛍光灯を覆うように前記器具本体に蝶番及びラッチにより開閉可能に取り付けられ閉じた状態で前記器具本体と接触する内周部に枠を有したグローブと；
前記グローブの枠に取り付けられ前記グローブが閉じた状態で前記グローブの枠及び前記器具本体に密着するパッキングと；
前記グローブの長辺方向の前記パッキングに設けられ前記グローブが閉じた状態で前記器具本体の内面に当接して前記直管形蛍光灯の光漏れを防ぐフィルムと；
を備えたことを特徴とする照明器具。
【請求項２】
前記フィルムは、前記直管形蛍光灯側が白色でその反対側が黒色であることを特徴とする請求項１記載の照明器具。
【発明の詳細な説明】
【技術分野】
【０００１】
本発明は、直管形蛍光灯をグローブで覆って照明する照明器具に関する。
【背景技術】
【０００２】
例えば、バスや鉄道車両等の車両用の照明器具においては、直管形蛍光灯をグローブで覆って照明する照明器具が用いられている。このような照明器具では、水や虫等が器具本体に侵入するのを防ぐためにパッキングを介装してグローブを器具本体に取り付けるようにしている。また、パッキングは、グローブと器具本体との接合部からの光漏れ防止の役目もしている。
【０００３】
ここで、グローブを有した車両用蛍光灯器具として、本体ケースにパッキングを取り付ける際に、係止部材にパッキングを係止させて取り付け、パッキングが係止された本体ケースを介在してグローブを取り付け、パッキングを本体ケースに対して簡単に、かつ確実に取り付けることができるようにしたものがある（例えば、特許文献１参照）。
【特許文献１】実開平５−２２１８６号公報
【発明の開示】
【発明が解決しようとする課題】
【０００４】
しかし、パッキングはグローブの内周部に配置され、直管形蛍光灯を装着した器具本体が細長であり、またパッキング形状の断面が四角形状であるため、器具本体が平面的に配置された状態でないと、グローブのパッキングが器具本体に密着して取り付けできないときがある。そのような場合には、器具本体とグローブのパッキングとの間に隙間が発生し、その隙間から直管形蛍光灯からの光漏れが生じたり、水や虫等が器具本体に侵入したりする。特に、光漏れは隙間が小さい場合であっても生じ、そのような光漏れが生じると美観を損ねる。
【０００５】
本発明の目的は、グローブのパッキングと器具本体との間から光漏れが生じないようにした照明器具を提供することである。
【課題を解決するための手段】
【０００６】
請求項１の発明に係わる照明器具は、前面に開口を有し細長で前記前面開口部に直管形蛍光灯が取り付けられる器具本体と；前記器具本体の前面開口部に位置する前記直管形蛍光灯を覆うように前記器具本体に蝶番及びラッチにより開閉可能に取り付けられ閉じた状態で前記器具本体と接触する内周部に枠を有したグローブと；前記グローブの枠に取り付けられ前記グローブが閉じた状態で前記グローブの枠及び前記器具本体に密着するパッキングと；前記グローブの長辺方向の前記パッキングに設けられ前記グローブが閉じた状態で前記器具本体の内面に当接して前記直管形蛍光灯の光漏れを防ぐフィルムと；を備えたことを特徴とする。
【０００７】
本発明および以下の発明において、特に指定しない限り用語の定義および技術的意味は以下による。
【０００８】
器具本体は、直管形蛍光灯を収納可能の大きさの細長に形成される。器具本体の前面開口部とは、直管形蛍光灯が器具本体に装着されたときに直管形蛍光灯からの光を外部に照射するように開口された部分をいう。例えば、横断面がコ字状に形成される。
【０００９】
グローブとは、器具本体の前面開口部に位置する直管形蛍光灯を覆い直管形蛍光灯からの光を透過させる部材をいう。蝶番とはグローブを器具本体に開閉自在に取り付ける部材をいい、ラッチとはグローブが閉じた状態でグローブを器具本体に着脱可能に固定する部材をいう。枠とはパッキングを装着するために、グローブが閉じた状態で器具本体と接触する内周部に形成された部材をいう。
【００１０】
パッキングとはグローブの内周部の枠に取り付けられる部材をいい、グローブが閉じた状態でグローブの枠及び器具本体に密着し、グローブと器具本体との接触部から直管形蛍光灯の光漏れが発生しないようにするためのものである。パッキングは弾力性を有した部材であり、例えばゴムなどである。
【００１１】
フィルムとは、グローブの長辺方向のパッキングに設けられた薄膜部材をいい、グローブが閉じた状態で器具本体の内面に当接して直管形蛍光灯の光を遮断し、器具本体とグローブとの間からの光漏れを防ぐものである。
【００１２】
請求項２の発明に係わる照明器具は、請求項１の発明において、前記フィルムは、前記直管形蛍光灯側が白色でその反対側が黒色であることを特徴とする。
【００１３】
フィルムの直管形蛍光灯側（白色）で直管形蛍光灯を反射し、フィルムの直管形蛍光灯の反対側（黒色）でフィルムを透過した光を吸収する。
【発明の効果】
【００１４】
請求項１の発明によれば、グローブの長辺方向のパッキングに、グローブを閉じたときに器具本体の内面に当接するフィルムを設けたので、グローブを閉じたときに器具本体とグローブのパッキングとの間に隙間が発生した場合であっても、器具本体とグローブとの間の光漏れを防ぐことができる。
【００１５】
請求項２の発明によれば、フィルムは光源である直管形蛍光灯側が白色で、その反対側を黒色としたので、直管形蛍光灯側の白色で直管形蛍光灯からの光をグローブ内に反射し、フィルムを透過した光を直管形蛍光灯の反対側の黒色で吸収する。これにより、器具本体とグローブとの間の光漏れを防ぐことができる。また、直管形蛍光灯側の白色で直管形蛍光灯からの光をグローブ内に反射するので、フィルムを設けたとしても照度の低下は極力抑制できる。
【発明を実施するための最良の形態】
【００１６】
図１は本発明の実施の形態に係わる照明器具の一部切り欠き側面断面図である。器具本体１１とグローブ１２とは蝶番１３で開閉自在に取り付けられ、グローブ１２を閉じた状態で器具本体１１に固定するためのラッチ１４が設けられている。器具本体１１は前面に開口部を有し、この前面開口部の両端部に直管形蛍光灯を装着するためのランプソケット１５が取り付けられ、このランプソケット１５に直管形蛍光灯が装着される。ランプソケット１５に装着された直管形蛍光ランプは点灯装置１６から点灯電源が供給され点灯制御される。
【００１７】
グローブ１２には、長辺方向のパッキング１７ａが長辺方向の枠１８ａにより保持され、短辺方向についても、短辺方向のパッキング１７ｂが短辺方向の枠１８ｂにより保持されている。また、グローブ１２の長辺方向の枠１８ａは、グローブ１２の両端で補強金具１９で保持されている。また、グローブ１２の長辺方向のパッキング１７ａにはフィルム２０が設けられ、グローブ１２が閉じた状態で、器具本体１１の内面に当接して直管形蛍光灯の光漏れを防ぐようになっている。
【００１８】
図２は本発明の実施の形態に係わる照明器具の正面図、図３は本発明の実施の形態に係わる照明器具のグローブの内部平面図である。器具本体１２は、図２に示すように細長に形成され、グローブ１２は器具本体１１の前面開口部に位置する直管形蛍光灯を覆うように、器具本体１１に開閉自在に取り付けられている。また、図３に示すように、グローブ１２の内周部には、パッキング１７ａ、１７ｂを保持するための枠１８ａ、１８ｂが設けられ、この枠１８ａ、１８ｂにパッキング１７ａ、１７ｂが取り付けられる。グローブ１２の枠１８ａ、１８ｂに取り付けられたパッキング１７ａ、１７ｂは、グローブ１２が閉じた状態でグローブ１２と器具本体１１との接触部から直管形蛍光灯からの光漏れが発生しないように、グローブ１２と器具本体１１との接触部を密着させるものである。
【００１９】
また、グローブ１２の長辺方向の枠１８ａの両端には補助金具１９が設けられている。補助金具１９は、例えば、長辺方向の枠１８ａの両端に略コ字型に折り曲げ形成され、長辺方向の枠１８ａの倒れや位置ずれを防止する。グローブ１２の外枠に補助金具１９にて長辺方向の枠１８ａを取り付けるので、長辺方向の枠１８ａの両端の幅寸法を適正な寸法に維持することが可能となり、長辺方向の枠１８ａの位置ずれを防止できる。従って、グローブ１２を閉じた状態のときに、確実にパッキング１７ａ、１７ｂを器具本体１１に接触させることができる。
【００２０】
図４は本発明の実施の形態における長辺方向のパッキング１８ａ及びフィルム２０の説明図である。フィルム２０は、グローブ１２の直管形蛍光灯側のパッキング１８ａに設けられる。フィルム２０は薄膜部材の直管形蛍光灯側の表面２１ａを白色とし、その反対側の表面２１ｂを黒色としている。そして、グローブ１２が閉じた状態では、図１に示すようにフィルム２０の表面２１ｂが器具本体２０の内面に当接する。これにより、直管形蛍光灯の光を遮断し、器具本体１１とグローブ１２との間からの光漏れを防ぐ。
【００２１】
ここで、フィルム２０の直管形蛍光灯側の表面２１ａを白色としたのは、直管形蛍光灯からの光をグローブ１２内に反射させるためである。また、フィルム２０の直管形蛍光灯側と反対側の表面２１ｂを黒色としたのは、フィルム２０を透過した光を直管形蛍光灯の反対側の表面１２ｂで吸収できるようにするためである。
【００２２】
第１の実施の形態によれば、フィルム２０を設けたので、器具本体１１とグローブ１２との間に隙間が発生してもフィルム２０により遮光できる。従って、器具本体１１とグローブ１２との間の光漏れを防止でき美観を損なうことがない。また、直管形蛍光灯からの光はフィルム２０の白色の表面２１ａでグローブ１２内に反射させるので、フィルム２０を設けたとしても照度の低下を抑制できる。
【図面の簡単な説明】
【００２３】
【図１】本発明の実施の形態に係わる照明器具の一部切り欠き側面断面図。
【図２】本発明の実施の形態に係わる照明器具の正面図。
【図３】本発明の実施の形態に係わる照明器具のグローブの内部平面図。
【図４】本発明の実施の形態における長辺方向のパッキング及びフィルムの説明図。
【符号の説明】
【００２４】
１１…器具本体、１２…グローブ、１３…蝶番、１４…ラッチ、１５…ランプソケット、１６…点灯装置、１７…パッキング、１８…枠、１９…補助金具、２０…フィルム、２１…フィルム表面
【図１】
2008296773.tif 000003
【図２】
2008296773.tif 000004
【図３】
2008296773.tif 000005
【図４】
2008296773.tif 000006